(57)【要約】      （修正有）【課題】ぬいぐるみ、マスコット等の同一基体をペンダント仕様とブローチ仕様とに容易に仕様を相互交換でき、併用できるブローチ・ペンダント併用装置を提供する。【解決手段】基体１裏面の２箇所に２本組み吊下げ紐を固定する面ファスナー又は磁石で構成された固定装置を設置し、２本組みの吊下げ紐に同様の接着用ファスナー又は磁石３ｂを設置し、取り外し自在な装置のあるペンダント仕様を構築し、ペンダントが胸元で裏がえるのを防止し、ブローチ仕様としては、基体１裏面にハンガー類もしくはピン類等の止め器具の接着用ファスナー又は磁石で構成した固定装置４を設置し、ハンガー類もしくはピン類にも設置された接着用ファスナー又は磁石により、突起物であるハンガー類もしくはピン類を自在に着脱できる構造とする。【選択図】図２
0003182582.tif 000002
【実用新案登録請求の範囲】
【請求項１】
基体裏面の２箇所に、面ファスナー又は磁石等で構成した固定装置を設置し、その固定装置の一方に、２本組み吊下げ用紐をファスナーの対又は磁石の対によって構成した固定装置により着脱自在に取り付け、基体裏面のもう一方の固定装置に、ハンガー類もしくはピン類等の止め器具を面ファスナーの対又は磁石の対によって構成される固定装置によって着脱自在に取り付けてなるぬいぐるみやマスコット等であって、２本組み吊下げ用紐を取り外せばブローチとして、ハンガー類もしくはピン類等の止め器具を取り外せばペンダントとして、同一基体を自在に相互転換し併用できるブローチ・ペンダント併用装置
【請求項２】
この併用装置は、宝飾品類、アクセサリー類、時計類、通信端末器類、小型照明灯類、防犯ブザー類等が基体表面に附着されている場合又は基体内部に装着されている場合にも適用される。
【考案の詳細な説明】
【技術分野】
【０００１】この考案は、ぬいぐるみ、マスコット等の同一基体をペンダント仕様とブローチ仕様とに容易に仕様を相互変換でき、併用できるためになされた技術に関するものである。
【先行技術文献】
【特許文献】
【０００２】
【特許文献１】実用新案登録第３１７６２６９号
【特許文献２】特開平１０−３１３９１２
【特許文献３】特開２００４−２４４７５
【特許文献４】特開平１１−０４６８１９
【特許文献５】特開平９−２７１４０５
【特許文献６】特開平６−２５３９１３
【考案の概要】
【考案が解決しようとする課題】
【０００３】ぬいぐるみやマスコット等をペンダント仕様にした技術はあるが（特許文献１）、ぬいぐるみやマスコット等の同一基体をペンダント仕様とブローチ仕様とに仕様を相互転換し、同一基体を併用できる技術はなく、又ペンダント仕様の場合、バチカン、リング等の１点吊り金具で係止された吊下げ紐又はチェーン類によりペンダントが胸元で安易に回転し裏返ってしまうが、この現象を防御する技術はなく、更にブローチ仕様のハンガー類、ピン等の止め器具から生じる突起物等を形成する特殊な部品を基体に固着している従来技術（特許文献２，３，４，５、６）には、自在に突起物である止め器具を取り外しのできる技術は存在せず、ペンダント装着時に惹起する違和感を削除できる技術も存在しない。
【課題を解決するための手段】
【０００４】本考案は、ぬいぐるみ又はマスコット等の同一基体裏面の上下２箇所に固定装置を固着し、ぬいぐるみ又はマスコットをペンダントとして使用する時は、その上側の固定装置に吊下げ用２本組の紐を接着した対になる固定装置を着脱自在に取りつけることができ、下側の固定装置には何もしない。ぬいぐるみ又はマスコットをブローチとして使用する時は下側の固定装置にハンガー類もしくはピン類等の止め器具を取り付けた対になる固定装置を着脱自在に取り付けることができ、上側の固定装置には何もしない。
【考案の効果】
【０００５】従ってこの発明により、ぬいぐるみやマスコット等の同一基体を使ってペンダント仕様とブローチ仕様とに仕様を自在に相互転換、併用できる。
その他効果として次の点が挙げられる。
（１）本考案により、宝飾品類、時計類、アクセサリー類、通信端末器類、防犯ブザー類、小型照明灯類が基体表面に付着されている場合、及び基体内部に装着されている場合にも適用できる。
（２）ブローチ仕様の基体裏面に固定された突起物たるハンガー類もしくはピン類等の止め器具を自在に取り外せば、ペンダント仕様に転換したさいにハンガー類もしくはピン類等の止め器具の突起物がないので、違和感のない使用感を提案できる効果を有する。
（３）ブローチ仕様の基体裏面に固定されたハンガー類もしくはピン類等の止め器具は、自在に着脱でき、又衣服の随所、胸ポケット、或いは身装品等に附着、固定できる利便性を提案する装置である。
（４）ペンダント仕様の基体裏面の２箇所に固定された取り外し自在で長さ調節可能な吊下げ用２本の組紐は、バチカン、リング等の１点吊り金具で係止されていないので、ペンダントが胸元で裏返しになるのを防ぐ利便性を提案する装置である。
（５）又、この固定装置によるぬいぐるみ又はマスコット等の、同一基体であるペンダント又はブローチを購入できれば、従来のようにそれぞれ個別に購入していた消費者の経済的負担からの削減を可能とし、更に消費者がデザインの異なる２個目を購入することを同程度の予算で可能とし、消費者のライフスタイルの選択枝の拡大に寄与し、新規カテゴリーとして経済産業上の価値創造に貢献できる技術を提案する。
【図面の簡単な説明】
【０００６】
【図１】本考案の同一ぬいぐるみやマスコット等の基体（ペンダント仕様とブローチ仕様とを併用した）の正面図である。
【図２】本考案の同一ぬいぐるみやマスコット等の基体であって、ペンダント仕様とブローチ仕様とを併用するための装置を示す背面図である。
【図３】本考案の同一ぬいぐるみやマスコット等の基体（ペンダント仕様とブローチ仕様とを併用した）の側面図である。
【図４】本考案の同一ぬいぐるみやマスコット等の基体（ペンダント仕様とブローチ仕様とを併用した）の平面図である。
【図５】本考案の同一ぬいぐるみやマスコット等の基体（ペンダント仕様とブローチ仕様とを併用した）の立体斜視図である。
【図６】図３における側面図の拡大図である。
【考案を実施するための形態】
【０００７】本考案の実施の形態を図面に基づき説明する。図１乃至図６は本考案の実施の形態を示すものである。
【０００８】図２において、１はぬいぐるみやマスコット等の同一基体を示しており、２のペンダント吊り下げ用２本組み紐は基体１の裏面の上側の固定装置３ａに着脱可能に固定されており、基体１が胸元で裏返しになるのを防ぐために基体１の裏面の２箇所に固定された固定装置３ａに長さ調整可能な吊下げ用２本の組み紐２を固着させた固定装置３ｂを固定していることを示している（図２）。また、図２および図３において、基体側固定装置５ａと自在に着脱可能に固定されたハンガー類もしくはピン類等の止め器具４を示している
【０００９】図６において、図３の側面図を拡大表示したものであり、一例として、同一基体裏面１上方に設置された固定装置として、基体側の面ファスナー部分３ａと２本組み紐２に固定された面ファスナー部分３ｂとで構成されている固定装置３を示し、更に同一基体裏面１下方に設置された固定装置として、基体側の面ファスナー部分５ａとハンガー類もしくはピン類４に設置された面ファスナー部分５ｂとで構成されている固定装置５を示している拡大図。これらの面ファスナーに変えて、面磁石にしても同一の効果が期待できる。
【符号の説明】
【００１０】１    ぬいぐるみ又はマスコットの基体
２    ペンダント吊下げ用２本組み紐
３    基体裏側上方の固定装置
３ａ  基体側の吊下げ用２本組み紐固定用ファスナー又は磁石
３ｂ  吊下げ用２本組み紐側の固定用ファスナー又は磁石
４    ブローチ仕様のハンガー類もしくはピン類等の止め器具
５    基体裏側下方の固定装置
５ａ  基体側のハンガー類もしくはピン類固定用のファスナー又は磁石
５ｂ  ハンガー類もしくはピン類側の固定用ファスナー又は磁石
【図１】
0003182582.tif 000003
【図２】
0003182582.tif 000004
【図３】
0003182582.tif 000005
【図４】
0003182582.tif 000006
【図５】
0003182582.tif 000007
【図６】
0003182582.tif 000008